(57)【要約】      （修正有）【課題】乗物用シートの背もたれの枠内に、タッチパネル機能付き液晶表示画面を装置し、利用者の利用料金の担保を容易とし利便性に優れた座席シートを提供する。【解決手段】乗物用シートの背もたれの枠内に、タッチパネル機能付き液晶表示画面２が装着され且つその画面と同じ平面に主電源スイッチ部と課金のためのカード読取り部３が設置されている。【選択図】図１
2015151112.tif 000002
【特許請求の範囲】
【請求項１】
乗物用シートの背もたれの枠内に、タッチパネル機能付き液晶表示画面が装着さ
れ且つその画面と同じ平面に主電源スイッチ部と課金のためのカード読取り部が
設置されていることを特徴とする乗物用シート。
【請求項２】
前記乗物用シートが、バス、電車または航空機のシートである請求項１記載の
乗物用シート。
【請求項３】
前記タッチパネル機能が、細線型静電容量式タッチパネル機能である請求項１
記載の乗物用シート。
【請求項４】
前記タッチパネル機能が、表面が一体化された樹脂シートに形成された請求項１
記載の乗物用シート。
【請求項５】
前記タッチパネル機能が、難燃性樹脂シートによりその表面が形成されている請求
項１記載の乗物用シート。
【請求項６】
前記タッチパネル機能が、その表面に覗き見防止フィルムが装着されている請求項
１記載の乗物用シート。
【発明の詳細な説明】
【技術分野】
【０００１】
本発明は、背もたれに液晶表示画面が装着された乗物用シート座席に関する。
さらに詳しくは、背もたれにタッチパネル機能付き液晶表示画面が装着された
乗物用シート座席に関する。
【背景技術】
【０００２】
タッチパネルは指で表面にタッチすることにより画面に情報を入力できる機
能を有するものであり、液晶表示画面に装着され、ゲーム機、各種情報端末、
携帯電話などに急速にその利用が拡大しつつある。タッチパネルは、抵抗膜式、
静電容量式或いは光学式などの種々の方式が提案されているが、中でも静電容量
式は、マルチ入力が容易であることから携帯端末を中心としてその市場が急激に
伸びている。
静電容量式タッチパネルは、ゲーム機、情報端末、携帯電話などの利用の拡大
と共にその価格が可成り低下して来たが、その価格は充分に安価とは云えない。
【０００３】
静電容量式タッチパネル機能を装着した液晶表示画面機器の利用は、その機
器を利用する側が負担するのが原則である。しかし、例えばバスや電車のよう
な多数の人が利用する車両の座席のシートの背もたれに、タッチパネル機能付
き液晶表示画面機器を装置するには、その価格を乗車券の価格中に転化すること
は困難である。
一方、電車やバスの料金をカードによって支払うことが可能な課金カードが
急速に利用され、そのカードが一部の区域のみならず、全国の広い区域で共通
して利用できるシステムが進んでいる。
【発明の開示】
【発明が解決しようとする課題】
【０００４】
この課金カードの広域化および普及化に伴ない、多くの人が課金カードを所持
していることに着眼し、バスや電車のような多くの人が利用する乗物の座席シー
トの背もたれに、タッチパネル機能付液晶表示画面を装着し、その価格の転価或
いは回収を容易にする方式の検討を進めた。
その結果、乗物の座席の背もたれにタッチパネル機能付き液晶表示画面を装
着し、その画面と同じ平面に、電源スイッチ部と課金カード読取り部が設置され
ている乗物用シート（座席）を発明するに至った。
【課題を解決するための手段】
【０００５】
本発明によれば下記の乗物用シートが提供される。
（１）乗物用シートの背もたれに、タッチパネル機能付き液晶表示画面が装着
され且つその画面と同じ平面に主電源スイッチ部と課金のためのカード読取り
部が設置されていることを特徴とする乗物用シート。
（２）前記乗物用シートが、バス、電車または航空機のシートである前記（１）
記載の乗物用シート。
（３）前記タッチパネル機能が、細線型静電容量式タッチパネル機能である前記
（１）記載の乗物用シート。
（４）前記タッチパネル機能が、表面が一体化された樹脂シートに形成された
前記（１）記載の乗物用シート。
（５）前記タッチパネル機能が、難燃性樹脂シートによりその表面が形成され
ている前記（１）記載の乗物用シート。
（６）前記タッチパネル機能が、その表面に覗き見防止フィルムが装着されて
いる前記（１）記載の乗物用シート。
【発明の効果】
【０００６】
本発明の乗物用シート（座席）は、その背もたれの枠内に、タッチパネル機能
付き液晶表示画面と共に、その画面と同じ平面の枠内に、電源スイッチ部と課金
のためのカード読取り部が設置されている。座席に着座した利用客は、前面の
液晶表示画面の案内に従い、電源スイッチを入れ（ＯＮ）、カード読取り部に
課金カードを接触させて利用料金を担保すれば、一定時間液晶表示画面の情報を
入手でき、またゲームなどを楽しむことができる。一方液晶表示画面機器を設置
した提供者は、その費用を利用者の課金カードにより、煩わしい現金の支払い手
続を要することなく回収することができる。
【図面の簡単な説明】
【０００７】
【図１】本発明の乗物用シートにおける背もたれ枠における平面図を模式的に      示したものである。
【発明を実施するための形態】
【０００８】
本発明の乗物用シート（座席）について、図１により具体的に説明する。図１
は、本発明の乗物用シートにおける背もたれ枠における平面図の一例を模式的に
示したものである。すなわち、乗物の座席（シート）に着席した利用者が前の
座席の背もたれ部に、図１の枠１が設置されている。枠１は、その高さや面の方
向が若干移動乃至変更しうるものであってもよい。枠１内には、液晶表示画面２、
課金カード読取り部３および電源スイッチ４が設置されている。
本発明の乗物用シートにおける乗物としては、バス、電車または航空機のシート
であるのが一般的である。図１の枠１には、液晶表示画面２が示されているが、
この画面２の画像は、車両のサーバーにより有線或いは無線で提供され、また電
源も車両より供給されることになる。
利用者は、液晶表示画像のサービスを希望する場合、先ず電源スイッチ４を押し
て電源をＯＮの状態とし、次いで課金カード読取り部３に課金カードを接触させて
課金する。課金が終了すると利用者は、液晶表示画面２を所望する情報またはゲー
ムから選択すればよい。枠１には音声を発するためのスピーカー、イヤホーン端子
またはヘッドホーン端子が具備されていてもよいが、これらは図面上省略されて
いる。
本発明の座席シートにおいて、枠１内の液晶表示画面２は、タッチパネル機能が
付与されており、その画面を指でタッチすることによって、画面の情報の選択、拡
大、変更をすることが容易に可能である。特にこのタッチパネル機能は、静電容量
式タッチパネル機能であることが一層望ましい。その理由は種々挙げられるが、指
タッチの感度に優れ、また比較的広い面積の画像を利用でき、さらにマルチ入力が
容易であるからである。
本発明の乗物用シートにおいて、特に好ましい態様は、タッチパネル機能が、そ
の表面が樹脂シートで形成されていること、殊にこの樹脂シートが液晶表示画面と
一体化されて形成されていること、さらにこの樹脂シートが難燃性樹脂で形成され
ていることである。
【０００９】
前記した特に好ましい態様の座席シートは、下記の利点および効果が達成され、
その実用化の価値は甚大である。
（ａ）通常静電容量式タッチパネルは、その表面が化学強化ガラスにより形成され
ている。しかしガラスの代りに樹脂シートとすることにより利用者が座席シートに
接触しても、割れたり、ケガをすることが少なくなりより安全となり、また全体の
重量も軽くなる。これらの効果は、多数の人が利用する車両、殊に航空機において
は重要な価値がある。
（ｂ）また樹脂シートが難燃性樹脂シートであることは、前述した効果と共に、よ
り大事な利点である。さらに本発明の乗物用シートの表面、殊に液晶表示画面の表
面に、覗き見防止フィルムを装着することもできる。
かくして、本発明によれば利用者および提供者のいずれも利点を有すると共に
実用化の価値が甚大な座席シートを提供することが可能となった。
【符号の説明】
【００１０】
１                背もたれ枠
２                液晶表示画面
３                課金カード読取り部
４                電源スイッチ部
【図１】
2015151112.tif 000003